(57)【要約】      （修正有）【課題】測量機器を使うとき、測定者１人でも、レーザー光線が照射されることにより目で確認し、ポイントをチェックすることができるようにする。【解決手段】トランシットやレベルに関して、望遠鏡筒に取り付けたレーザーポインター６から照射したレーザー光線が目標物のポイントをレンズ内十字横線上を移動させ、微調整し焦準できる構造にする。スタッフやロッドの上下中位の側面左右に回転軸用ピンを組み込み下端に重りを組み込む事で、スタッフやロッドの回転軸用ピンを支点にして、垂直に立つようになる。スタッフやロッドを差し入れる三脚は、三脚頭部の皿に組み込まれた外側の外円柱板の輪も三脚頭部本体に対して自由に回る構造とする。【選択図】図２
2011027696.tif 000002
【特許請求の範囲】
【請求項１】
レベルやトランシットの測量で測定者が補助員が居なくても、１人ででも外業できるようにする。レベルに関しては、望遠鏡筒横の水平な位置で望遠鏡内の視準線と平行になるような位置にレーザーポインターを取付け。対物レンズ側は支点となるように。接眼レンズ側は、微調整ができるように調整ネジを組み込んで取付け、レンズ内の十字横線上で目標物の測定位置をレーザー光線が移動し焦準できるような構造にする。トランシットに関しては、望遠鏡筒上下のどちらかの垂直な位置で望遠鏡内の視準線と平行になるような位置にレーザーポインターを取付け。対物レンズ側は、支点となるように。接眼レンズ側は、微調整ができるように調整ネジを組み込んで取付け、レンズ内の十字縦線上で目標物の測定位置をレーザー光線が移動しポイントへ焦準できるような構造にする。一方、目標側のスタッフやロッドに関しては、スタッフやロッドが垂直に立つような構造にする。目標物のスタッフやロッドに関しては、スタッフやロッドの中位の位置に目盛りが付いた面に対して、左右側面の中心に回転軸用ピンを組み込み、スタッフやロッドの上下が回転軸用ピンを軸にして自由に動くようにし、スタッフやロッド本体が垂直に立つようにスタッフやロッドの下端に重りを組み込んだ構造にする。次に、スタッフやロッドの回転軸用ピンを受ける三脚頭部の皿に組み込まれた中円柱板の輪（スタッフやロッド受）には、中円柱板の輪の中心点の平行線延長上の左右の平面上に溝を掘り、スタッフやロッドの回転軸用ピンが受け置かれるような構造にする。そして、中円柱板の輪を組み込む三脚の頭は、中円柱板の輪の回転軸用ピン受けの溝に対して、中円柱板の輪の中心点より直角の垂直な延長線上に上下２カ所円柱板の輪外周辺面の中心にピンを組み込み、三脚頭部皿の外円中板円内側面の中心位置に組み込まれる構造とする。この三脚の頭部皿の中には入る、中円柱板の輪の２カ所の回転軸用ピンと中円柱板の輪に刻まれた２カ所の溝と、その溝にスタッフ又ロッドの左右の回転軸用ピンを受け置くような構造にすることで、中円柱板の輪内側の空間の穴にスタッフやロッドを差し込み、中円柱板の輪の溝にスタッフやロッドの回転軸用ピンが受け置かれると、三脚の頭部皿が多少水平に設置されてなくても、スタッフやロッドが垂直に立つような構造になる。又、三脚頭部の皿は三脚頭部とは別に回転するような構造にすれば、どのような状態の位置に三脚が設置されても中円柱板の輪やスタッフやロッドの目盛部は測量機の方向を向く状態になる。この様に作られた測量機器を使用することで、目標物側の補助員に対して目標物のポイント指示を手の合図やレシーバーでのやり取りがなくても、レーザー光線がポイントを視準することで確認しやすくなると共に、測量者が１人ででもポイントをチェックすることができように作られた測量機とスタッフやロッド及び、三脚。
【発明の詳細な説明】
【技術分野】
【０００２】この発明は、今までのレベルやトランシットの測量機を使って測量するとき、目標物のポイントをレンズ内の十字線の位置上に合わし、その位置を目標物側の補助員に対して、手で合図したり、レシーバーなどを使ってポイントの位置を確認を指示し、チェックしていたが、このレベルは目標物に対してポイント位置を調整できる。レーザーポインターを組み込む事で、レベルから目標物に対して、レーザー光線を照射すると同じく、レンズ内の十字横線上にレーザーのポイントを調整・焦準する。この十字線に調整したレーザー光線のポイントを目標物のスタッフやロッドに照射すると、目標物側の補助員が測定者の合図が無くてもレーザー光線のポイントをチェックすることができるようなレベルである。トランシットに関しては、トランシットにレーザーポインターを組み込む事で、トランシットから目標物に対して、レーザー光線を照射すると同じく、レンズ内十字縦線上にもレーザーのポイントを調整焦準する。この十字縦線に調整したレーザー光線のポイントを目標物側の補助員に測定者の合図が無くてもレーザー光線のポイントをチェックすることができるようなトランシットである。目標物のスタッフやロッドに関しても、スタッフやロッドが垂直になるように下端に重りを組み込み、上下中位の左右に回転軸用ピンを取り付ける。このスタッフやロッドを受け置く三脚に関しても、三脚頭部にスタッフやロッドの回転軸用ピンを受け置く中円柱板の輪を中心に組み、その中円柱板の輪に取り付けられた２カ所回転軸用ピンを外円柱板の輪に組み込む作りにする。又、外円柱板の輪も、三脚頭部本体に対して、自由な回転ができる構造にすることで、この三脚頭部の中円柱板の輪に差し込まれピン受けされたスタッフやロッドはスタッフやロッドに組み込まれた下端の重りと上下の中位に取り付けられた左右の回転軸用ピンや三脚頭部の中円柱板の輪の２本の回転軸用ピンが、三脚頭部に対して、回転できる構造にすることで、スタッフやロッドは垂直に立つようになると同時に測量機方向にスタッフやロッドの目盛面を向けることができる。この様な測量ができる測量機器に関するものである。
【背景技術】
【０００３】現在、レベルやトランシット等は測量に関して、測定者と補助員のペアーが必要であったが、目標物に対して調整できるレーザーポインターを測量機器に取付、組み込み使用することで、測定者が１人ででも目標物のポイントが焦準でき、チェックできるような測量機や、目標物側のスタッフやロッドに関しでも、設置すれば自動的に垂直方向になり、測定者が目盛の確認ができ、ポイント位置をチェックできるような測量機が望まれていた。
【発明の開示】
【０００４】測量機のレベルやトランシットを使って測量するとき、今までのように測定者と補助員がペアーをくんで測量をするのではなく、その測量機のレベルやトランシットの望遠鏡筒に目標物に対してレンズ十字線に微調整ができ、焦準できるような構造のレーザーポインター組み込む事で、目標物のポイントにレーザー光線を照射することができ、目標物のポイントをチェックすることができる。目標物側で使用するスタッフやロッドに関しても、スタッフやロッド又、三脚を設置し、自動的に垂直な方向になるような構造にすることで、測定者が補助員が居なくても、測量の作業ができるようにと考えられたものである。
【発明が解決しようとする課題】
【０００５】これまでは、次のような欠点があった。レベルやトランシットを使って測量をするとき、測定者が目標物に対して、レンズ内の十字線の横線や縦線に目標物のポイントを調整・焦準し、補助員に関して測定者が手で合図をしたり、レシーバーなどを使ってやり取りをし、目標物のポイント位置をチェックする測量をしていたので、測量をするときは測定者と補助員の２人で一組の測量作業の方法でしか測量できないと言う欠点があった。そのため、レベルやトランシットに調整できるレーザーポインターを取付、そのレーザーポインターから照射されたレーザー光線の目標物のポイントを望遠鏡レンズ内の十字線の横線上や縦線上に調整・焦準することで、そのポイント位置を補助員に対して、手での合図やレシーバーを使って知らせることをしなくても、レーザー光線が照射された目標物のポイント位置を補助員や測定者自身でも、目で確認する事ができ、ポイント位置をチェックすることができる。又、スタッフやロッドに関しても、三脚を使って、その三脚頭部の皿内にスタッフやロッドが垂直に立ち、スタッフやロッドの目盛面が測量機の方向を向くような構造にすることで、目標物に対して、レーザー光線の照射位置を目で確認し、ポイント位置をチェックすることができるようにと考えられたものである。
【課題を解決する為の手段】
【０００６】レベルやトランシットを使用した時、望遠鏡の筒に微調整できるレーザーポインターを取り付けることにより、目標物に対して照射したレーザー光線のポイント位置を望遠鏡のレンズ内十字線上のレベル測量機に関しては、十字横線上を移動調整できる構造にし、トランシット測量機は、十字縦線上を移動調整できる構造にすれば、そのレンズ内の十字線上に調整・焦準し目標物のポイントに、レーザー光線を照射することで、測定者が補助員に対して、手の合図やレシーバーなどを使ってやり取りをしなくても補助員もレーザー光線のポイント位置を目で確認し、チェックすることができる。又、測定者１人ででもレーザー光線のポイント位置を目標物側で、目で確認しチェックすることができる。レベルに関しては、目標物側に三脚を立て、その三脚頭部皿にスタッフやロッドが垂直に立ち、スタッフやロッドの目盛面が測量機方向を自由に目盛面が向く構造にすることで、補助員が居なくても測定者１人で目標物のレーザー光線のポイント位置を目で確認し、チェックすることができるように、レベルやトランシット測量機に目標物に対してレーザー光線を照射し、レンズ内十字線上を微調整し調整・焦準できるレーザーポインターを組み込んだ構造の測量機器である。
【発明の効果】
【０００７】微調整できるレーザーポインターを組み込んだレベルやトランシットの測量機を作ることにより、目標物に対してのポイント位置をレベルやトランシットの望遠鏡のレンズ内、十字線上に調整・焦準し、そのポイント位置にレーザー光線を照射することで測定者が補助員に対して手で合図したり、レシーバーを使ってポイント位置をやり取りし、チェックしなくても照射されたポイント位置を目で確認し、ポイントがチェックできる。又、測定者単独でも目標物側でレーザー光線の照射ポイントを目で確認しチェックすることができる。目標側のスタッフやロッドに関しても、三脚を使用し、その三脚頭部皿が三脚本体から自由に回り、頭部皿内に差し込まれたスタッフやロッドを使用することで補助員も簡単に目標物のポイントをチェックすることができる。又、測定者単独で測定しながら目標物のポイントをチェックすることができる測量機器を提供することができる。
【発明の実施する為の最良の形態】
【０００８】以下、本発明の実施の形態について説明する。レベルやトランシットの望遠鏡筒内の視準線に対して、レーザーポインターを平行になるように取付け、対物レンズ側を支点になるように。又、接眼レンズ側は、調整ネジを組み込み、目標物に対して、レーザーポインターから照射されたレーザー光線のポイント位置がレベル測量機に関しては、レンズ内の十字線の横線上を移動し、調整・焦準できる構造とする。トランシット測量機に関しては、目標物に対して、レーザーポインターから照射されたレーザー光線のポイント位置をレンズ内十字縦線上を移動し、調整・焦準できる構造とする。そして、レベルやトランシットの十字線に調整・焦準した目標物のレーザー光線のポイント位置を目で確認し、チェックするように使用する。又、目標物側のスタッフやロッドに関しても、三脚頭部の皿を中心に組み込まれたとき、垂直になるようにスタッフやロッドの中心より少し上位の位置左右側面に回転軸用ピンを組み込む。又、スタッフやロッドの下端に重りを組み込み、スタッフやロッドが垂直になるような構造とする一方、三脚の方は三脚頭部皿に対して円中板外側が自由に回る構造とする。外円柱板外側は上下２カ所の円柱板内側の回転軸用ピンを組み込む構造とする。中円柱板内側は回転軸用ピンに対して、直角方向の左右２カ所にスタッフやロッドの回転軸用ピンを受け置く溝を握った構造とすることで、その溝にスタッフやロッドの回転軸用ピンを設置することでスタッフやロッドが、三脚が多少水平に設置されてなくても垂直になり、目盛面も測量機方向を向く構造になる為、測量機のレーザーポインターのレーザー光線をスタッフやロッドの日盛面に照射する構造に作ることでポイントを目で確認し、チェックすることができる測量機器として使用されることができるものである。
【図面の簡単な説明】
【図１】レーザーポインターを組み込んだレベル側面図
【図２】レーザーポインターを組み込んだレベル正面図
【図３】レーザーポインターを組み込んだトランシット側面図
【図４】レーザーポインターを組み込んだトランシット正面図
【図５】レンズ内十字線図
【図６】望遠鏡の筒断面図
【図７】スタッフ・ロッドに回転軸用ピンと重りが組み込まれ立体図
【図８】三脚頭部の皿の詳細側面図
【図９】三脚頭部の皿の平面図
【符号の説明】  １．レベル望遠鏡  ２．対物レンズ  ３．接眼レンズ  ４．求心望遠鏡  ５．望遠鏡気泡管  ６．レーザーポインター  ７．レーザーポインター支点止具  ８．レーザーポインター調整ネジ  ９．レーザーポインタースイッチ  １０．固定ネジ  １１．微動ネジ  １２．合焦ネジ  １３．整準ネジ  １４．底板  １５．トランシット望遠鏡  １６．上部微動ネジ  １７．中部微動ネジ  １８．下部微動ネジ  １９．上部固定ネジ  ２０．中部固定ネジ  ２１．下部固定ネジ  ２２．求心孔  ２３．望遠鏡筒  ２４．十字線  ２５．十字縦線  ２６．十字横線  ２７．視準線  ２８．スタッフ・ロッド  ２９．回転軸用ピン  ３０．スケール目盛  ３１．ウェート  ３２．三脚頭部の皿  ３３．外円中板  ３４．中円中板  ３５．外円中板押さえ  ３６．ネジ  ３７．中円柱板回転軸用ピン  ３８．中円柱板回転軸用ピン受溝  ３９．三脚足
【図１】
2011027696.tif 000003
【図２】
2011027696.tif 000004
【図３】
2011027696.tif 000005
【図４】
2011027696.tif 000006
【図５】
2011027696.tif 000007
【図６】
2011027696.tif 000008
【図７】
2011027696.tif 000009
【図８】
2011027696.tif 000010
【図９】
2011027696.tif 000011